(57)【特許請求の範囲】
【請求項１】
遊技ホール等の設置枠台(10)に縦向き状態で設置されて、前枠(B)が開閉および着脱可能に組付けられてパチンコ遊技に供される遊技機(P)の外枠(A)において、
前記設置枠台(10)に対する直接の当接部となる底板部(30)と、この底板部(30)の前縁に起立する前板部(31)と、この前板部(31)の上端縁に位置する水平の台板部(32)とが、互いに側断面コの字状の連接状態で一体に成形されて、前記外枠(A)の下辺を構成する下枠部分(23)と、
前記下枠部分(23)における前記前板部(31)の上縁と前記台板部(32)の前縁とがなす隅角部分に左右所要範囲に亘って凹設された設置部(37)と、
合成樹脂から成形され、前記設置部(37)に整合する断面略Ｌ形部分を有する保護部材(51)とを備え、
前記保護部材(51)は、
前記設置部(37)の上端面(37a)上に位置する前記断面略Ｌ形の一辺部分である水平片部(52)に形成され、前記前枠(B)の下端面を受ける受け面(53)と、
前記設置部(37)の前面(37b)に位置する前記断面略Ｌ形の他辺部分である垂直片部(54)の前面長手方向に亘って形成され、前記設置枠台(10)の台板部(11)上に載せて使用されるパチンコ球用の受け箱(12)の外形縁部(13)を当て受け得る当接面域(55)と、
前記水平片部(52)の後端縁部に一体形成され、該水平片部(52)から上方に突出すると共に、前側に指向して屈曲した上部が前枠(B)の後面に当接する当接杆部と、
前記水平片部(52)に形成された挿通孔(56)と、
前記垂直片部(54)の裏面側に後方へ水平に延出形成された位置決めピン(57)とを備え、
前記設置部(37)の前面(37b)側に形成した位置決め孔(39)に前記位置決めピン(57)を整合して嵌挿すると共に、前記挿通孔(56)を設置部(37)の上端面(37a)側に形成したビス孔(38)に整合して、該挿通孔(56)に挿通したビス(58)をビス孔(38)に締め付けることで、前記保護部材(51)を設置部(37)に対し着脱交換可能に取着するよう構成した
ことを特徴とするパチンコ遊技機における外枠。
【請求項２】
前記下枠部分(23)の前記底板部(30)は、下底面が後側に向けて勾配斜面とされると共に、外枠(A)の傾き角度を調整固定する角度調整固定部(40)が両側に成形され、
前記角度調整固定部(40)は、前記底板部(30)の前後方向に形成された長孔(42)と、この長孔(42)の両側で平行に形成されて鋸状の歯(44)を有する一組の係止歯帯(43)と、この両側の係止歯帯(43)と鋸状の歯(46)を介して変位自在に噛合固定される別成形の固定盤(45)と、この固定盤(45)中央部の座孔(47)から長孔(42)を介して前記設置枠台(10)の台板部(11)にねじ込まれる止めねじ(48)とを有している請求項１記載のパチンコ遊技機における外枠。
【発明の詳細な説明】
【０００１】
【発明の属する技術分野】
この発明は、パチンコ遊技機における外枠に関し、更に詳しくは、前面側に組付けられる前枠の好適な固定支持と、パチンコ球用の受け箱の接触による傷や汚れを付着し難くした外枠に関するものである。
【０００２】
【従来の技術】
パチンコ機やアレンジボール等のパチンコ遊技機は、縦長方形状に成形された外枠に、各種の遊技構成部材用の搭載枠ともされる前枠が着脱および開閉可能に装着されることで、遊技機本体が構成されている。前記外枠は、例えば木製または合成樹脂製の上枠杆と左右の側枠杆および下枠杆とを枠組み連結した枠体として形成され、特に前記下枠杆に取着される支持枠杆(一般に「幕板」という)は、該外枠自体の補強を図ると共に前記前枠を支持するために機能している。また支持枠杆は、前枠を外枠に取付けた状態においても遊技機の前面(正面)に露出することから、美観を考慮してその前面に合成樹脂製の装飾シートが装着されている。
【０００３】
このように構成されたパチンコ遊技機においては、遊技ホール内等での実施にあたって、通称「島」とも呼ばれている設置枠台における夫々の収容枠部に、外枠を所定の後傾起立状態に固定保持したもとで、前枠側が組付けセットされて遊技に供されるようになっている。そして、遊技盤内でのパチンコ遊技に基いて遊技機内の賞球払出装置から払出された賞球は、前記前枠に装備された上球皿および下球皿に順次貯留される。また、下球皿に備えられた球抜き装置を利用することにより、前記設置枠台の台板部に載置したパチンコ球用の受け箱を当該遊技機の下方に位置させ、適時に抜き出した貯留球を受け得るようになっている。
【０００４】
【発明が解決しようとする課題】
ところで前記前枠は、外枠の後傾起立状態を前提とした前後方向への傾き角度の姿勢の他に、正面左右方向への傾き(水平姿勢)も極めて重要とされ、微妙な傾きが、殊に前枠に装備した上球皿内の貯留球の球送り装置への球流れ態様を大きく左右するものとなっている。従って、閉成した前枠を外枠に水平姿勢で保持するために、該前枠の下端面と前記支持枠杆の上端面に、互いに当接する金属性の受け具を取着し、外枠に前枠を閉成した際には、各受け具が当接して該前枠を水平状態に保持するようになっている。しかるに前記各受け具は、前枠または外枠に対してビス等を利用して固定するようになっているから、取付作業が面倒で時間が掛かり、組立作業の合理化および簡易化等を図り得ないものとなっていた。
【０００５】
また、前記設置枠台に固定保持されたパチンコ遊技機では、前記外枠の支持枠杆が該設置枠台における台板部の上面に臨んでいるため、前述した如く、遊技に際してこの台板部に載置する前記受け箱の上縁外周部分が、支持枠杆に装着した前記装飾シートに直接的に接触するようになる。従って、前記装飾シートの装飾面や受け箱の上縁外周部分に、傷や汚れが付着形成され易い問題点を内在していた。なお、装飾シートの汚れについては、雑巾等で拭き取ろうとしても、容易に除去し得るものではなかった。
【０００６】
【発明の目的】
本発明は、前述した課題を解決するべく新規に提案されたものであって、外枠における下枠部分の前面に、受け面および当接領域を形成した保護部材を着脱交換可能に取着して、前記受け面で前枠を受け取めて該前枠を好適に固定支持すると共に、前記当接領域でパチンコ球用の受け箱における外形縁部を当て受けて下枠部分および受け箱に対する傷や汚れの付着を好適に防止するよう構成したパチンコ遊技機の外枠を提供することを目的とする。
【０００７】
【課題を解決するための手段】
前述した課題を解決し、所期の目的を好適に達成するため、本発明に係るパチンコ遊技機における外枠は、
遊技ホール等の設置枠台に縦向き状態で設置されて、前枠が開閉および着脱可能に組付けられてパチンコ遊技に供される遊技機の外枠において、
前記設置枠台に対する直接の当接部となる底板部と、この底板部の前縁に起立する前板部と、この前板部の上端縁に位置する水平の台板部とが、互いに側断面コの字状の連接状態で一体に成形されて、前記外枠の下辺を構成する下枠部分と、
前記下枠部分における前記前板部の上縁と前記台板部の前縁とがなす隅角部分に左右所要範囲に亘って凹設された設置部と、
合成樹脂から成形され、前記設置部に整合する断面略Ｌ形部分を有する保護部材とを備え、
前記保護部材は、
前記設置部の上端面上に位置する前記断面略Ｌ形の一辺部分である水平片部に形成され、前記前枠の下端面を受ける受け面と、
前記設置部の前面に位置する前記断面略Ｌ形の他辺部分である垂直片部の前面長手方向に亘って形成され、前記設置枠台の台板部上に載せて使用されるパチンコ球用の受け箱の外形縁部を当て受け得る当接面域と、
前記水平片部の後端縁部に一体形成され、該水平片部から上方に突出すると共に、前側に指向して屈曲した上部が前枠の後面に当接する当接杆部と、
前記水平片部に形成された挿通孔と、
前記垂直片部の裏面側に後方へ水平に延出形成された位置決めピンとを備え、
前記設置部の前面側に形成した位置決め孔に前記位置決めピンを整合して嵌挿すると共に、前記挿通孔を設置部の上端面側に形成したビス孔に整合して、該挿通孔に挿通したビスをビス孔に締め付けることで、前記保護部材を設置部に対し着脱交換可能に取着するよう構成したことを特徴とする。
【０００８】
【作用】
保護部材は、横長の水平片部と横長の垂直片部とが断面略Ｌ形に接合された所要サイズに成形されて、外枠を構成する下枠部分における上縁部分に、左右方向に延在した状態で着脱交換可能に取着される。このとき前記水平片部は、前記下枠部分の上端面に延在位置して受け面を上方へ指向させ、また前記垂直片部は、下枠部分の上縁前面に延在位置して当接面域を前方へ指向させている。従って、外枠に組付けられた前枠を該外枠に対して閉成すると、該前枠の下端面が前記受け面に当接され、前枠は適切な姿勢で固定支持される。一方、パチンコ遊技機を取付けた設置枠台の台板部に載置したパチンコ球用の受け箱を該遊技機側へ押し付けると、該受け箱の外形縁部が前記当接面域に接触するようになり、該受け箱と下枠部分との直接的な接触が回避されて、殊に下枠部分に傷や汚れが付着することが好適に防止される。なお保護部材は、下枠部分から容易に着脱交換し得るので、該保護部材自体に傷や汚れが付着した場合には、新しい保護部材と着脱交換すればよい。
【０００９】
【発明の実施の形態】
次に、本発明に係るパチンコ遊技機における外枠につき、好適な実施例を挙げて、添付図面を参照しながら以下詳細に説明する。なお本実施例では、前枠の正面内部にパチンコ球用の遊技盤がセットされた一般的なパチンコ機の場合を主に示す。
【００１０】
【実施例】
(パチンコ機について)
本実施例のパチンコ機Ｐは、図１に略示するように、縦長方形状に枠組み形成された外枠Ａの開口前面側に、連結支持手段および施錠手段を利用して開閉および着脱が可能に組付けられる合成樹脂製の前枠Ｂの各部に、ガラス扉Ｄ付きの窓枠Ｃ、上下の球受皿Ｅ,Ｆおよび打球発射装置Ｇ等が装備されている一方、前枠Ｂの正面内部に所要の遊技盤Ｈが着脱交換可能にセットされており、更に前枠Ｂの裏側にアウト球、セーフ球、賞品球の各処理部を有する機構セット盤(図示せず)が着脱可能に装備されて１台単位とされる。そして、遊技ホール内等での実施にあたっては、設置枠台(通称島)１０における各収容枠部に、前記外枠Ａが所定の後傾起立状態で固定保持されたもとで、前枠Ｂが組付けセットされて遊技に供されるようになっている。なお、図２〜図６は、実施例の説明の前提となる外枠であって、当接杆部３６を下枠部材２３の台板部３１に一体成形した例を示す。
【００１１】
(外枠について)
前記外枠Ａは、図２に示すように、所定のサイズ(長さ,幅,厚さ)および断面形状に成形された合成樹脂製の上枠杆２０と左側枠杆２１および右側枠杆２２が、互いの端部同志を位置合わせしてビス締めにより門枠状に結合され、また左側枠杆２１と右側枠杆２２の下端部に、下枠部材(下枠部分)２３の両側端に形成された整合連結部を位置合わせしてビス締めにより結合されている。このように４本の枠部材２０,２１,２２,２３から枠組み形成された外枠Ａでは、上枠杆２０,左側枠杆２１および右側枠杆２２の前端面と、下枠部材２３の前板部(後述)３１の上端面とに亘る開口面域が、前枠Ｂ整合用の開口前面広さとされている。そして、前記前枠Ｂを開閉可能に連結支持するために、上枠杆２０と左側枠杆２１との連結隅角部に、上の開閉連結用の支軸２７を受ける略Ｌ形状の連結補強金具２４が取着され、前記上の支軸２７に対する下の開閉連結用の支軸２５が、前記下枠部材２３における前板部３１の左端前面に膨出成形されたボス座部３１ａに起立状態で嵌挿固定されている。なお、前記右側枠杆２２における内側上部および下部に、前枠Ｂ側に設けられる施錠装置に対する受け金具２６,２６が固定される。
【００１２】
またパチンコ機Ｐは、全体の機体サイズがやや小さいタイプ(関東枠タイプ)と、これより機体サイズがやや大きいタイプ(関西枠タイプ)とがあるため、前記上枠杆２０と左側枠杆２１とを共通的に使用する前提において、右側枠杆２２と下枠部材２３とを全長サイズの異なる２種類を準備して選択的に取着交換可能とすることにより、両タイプの機体サイズに容易に変更対応し得るようになっている。
【００１３】
(下枠部材について)
前記下枠部材２３は、図３〜図５に示すように、設置枠台１０に対する直接の当接部となる底板部３０と、この底板部３０の前縁に起立する前板部３１と、この前板部３１の上端縁に位置する水平の台板部３２とが、互いに側断面コの字状の連接状態で一体に成形されて主枠部とされており、この主枠部の左右両側に、前記左側枠杆２１および右側枠杆２２の位置決め連結部とされた連結凹部３３,３３と、ビス孔を有する位置決め用の連結支板３４,３４が成形されている。そして、前記主枠部３０,３１,３２および左右の側枠杆２１,２２は、その内側各部に補助用リブを配設して連結強化が図られている。
【００１４】
(角度調整固定部について)
また外枠Ａが、遊技ホール等の設置枠台１０に所要の後傾状態で設置されることの前提において、底板部３０の下底面が後側に向けて勾配斜面とされていると共に(図５参照)、底板部３０の両側に角度調整固定部４０および釘孔４１が成形されている。この角度調整固定部４０は、外枠Ａを所定の傾き角度に調整固定するためのもので、図３および図５に示すように、前記底板部３０の前後方向に形成された長孔４２と、この長孔４２の両側で平行に形成されて鋸状の歯４４を有する一組の係止歯帯４３と、この両側の係止歯帯４３と鋸状の歯４６を介して変位自在に噛合固定される別成形の固定盤４５と、この固定盤４５中央部の座孔４７から長孔４２を介して前記設置枠台１０の台板部１１にねじ込まれる止めねじ４８とを有する。そして、これに付加される傾き角度表示手段として、図３に示すように、固定盤４５の一側面中央に位置基準用の指針５０が形成されていると共に、底板部３０の指針と対応する上面に目盛４９が形成されている。なお双方の固定部４０において、両側の係止歯帯４３および固定盤４５の各歯４４,４６のピッチは互いに同一とされ、これに合わせて目盛４９は中央の「０」を基準にして前後方向に目盛線が等ピッチで形成され、各目盛線に数字(図示せず)が付されている。
【００１５】
(保護部材について)
そして前記外枠Ａでは、前記下枠部材２３における前板部３１の上縁部分に、外枠Ａに組付けて閉成した前枠Ｂの固定支持と、設置枠台１０の台板部１１の上面に載置したパチンコ球用の受け箱１２を当て受けるビス着形態の保護部材５１が取着されるようになっている。この保護部材５１は、図３〜図６に示すように、合成樹脂成形された断面略Ｌ形の横長プレート体であって、その一辺として形成された水平片部５２の上面右方に、前枠Ｂに対する矩形状の受け面５３が上方へ突出形成されると共に、他の一辺として形成された垂直片部５４の前面に、前記受け箱１２に対する横長の当接面域５５が前方へ突出形成されている。また、前記水平片部５２の中央部および左右両端近傍に複数個(図示例では３個)のビス５８用の挿通孔５６が形成されていると共に、前記垂直片部５４の裏面側には、複数個(図示例では４個)の位置決めピン５７が後方へ水平に延出形成されている。一方下枠部材２３では、前板部３１の上縁隅角部分に、前記保護部材５１の裏面外郭形状を前提としたＬ形の設置部３７が凹設されている。この設置部３７の上端面３７ａ側には、前記各挿通孔５６と整合する位置にビス５８がねじ込まれるビス孔３８が形成され、また該設置部３７の前面３７ｂ側には、前記各位置決めピン５７が嵌挿する位置決め孔３９が、夫々の位置決めピン５７と整合する位置に穿設されている。保護部材５１には、前記水平片部５２から上方に突出すると共に、前側に指向して屈曲した上部が前枠Ｂの後面に当接する当接杆部(図示せず)が、該水平片部５２の後端縁部に一体形成される。
【００１６】
このように構成された保護部材５１は、下枠部材２３の前面側から前記設置部３７に対して着脱交換可能に取着される。すなわち、設置部３７に形成された前記各位置決め孔３９に位置決めピン５７を整合させ、この状態で下枠部材２３の後方側へ押込むことにより、保護部材５１の垂直片部５４および水平片部５２が、該設置部３７の前面３７ｂおよび上端面３７ａに整合するようになる。そして、夫々のビス孔３８に整合した各挿通孔５６にビス５８を挿通し、該ビス５８を前記ビス孔３８に締付けることにより、保護部材５１が該下枠部材２３に好適に取着固定される。
【００１７】
前述した保護部材５１を取着した外枠Ａを実施したパチンコ機Ｐでは、遊技ホールの設置枠台１０の各収容枠部に、該外枠Ａを所定の後傾起立状態で固定保持したもとで、前記前枠Ｂが組付けセットされて遊技に供される。この際に、外枠Ａに組付けた前枠Ｂを閉成すると、図５に示すように、該前枠Ｂの下端面が前記下枠部材２３に取着固定された保護部材５１の受け面５３で受けられるようになる。また、当該パチンコ機Ｐにおいてパチンコ遊技が行なわれるに際して、設置枠台１０の台板部１１にパチンコ球用の受け箱１２を載置すると、図１および図５に示すように、該受け箱１２の上端部の外形縁部１３が、前記保護部材５１の当接面域５５で当て受けられるようになり、下枠部材２３の前板部３１には直接的に接触しない。
【００１８】
【実施例の作用】
次に、前述のように構成された実施例に係るパチンコ遊技機における外枠の作用につき説明する。外枠Ａは、前記上枠杆２０と左側枠杆２１および右側枠杆２２の互いの端部同志を位置合わせしてビス締めにより門枠状に結合し、左側枠杆２１と右側枠杆２２の下端部に下枠部材２３を位置合わせしてビス締めすることにより、縦長方形の枠体状に形成される。そして、上枠杆２０と左側枠杆２１との連結隅角部に連結補強金具２４を取着すると共に、下枠部材２３のボス座部３１ａに支軸２５を起立状態で嵌挿固定する。また、右側枠杆２２における内側上部および下部に、前枠Ｂ側に設けられる施錠装置に対する受け金具２６,２６を固定する。更に、下枠部材２３に形成された設置部３７に対し、各位置決めピン５７と各位置決め孔３９とを整合させて保護部材５１を位置決めセットし、水平片部５２の上方側からビス５８を各挿通孔５６を介して各ビス孔３８に締付けることで、保護部材５１を下枠部材２３に取着固定する。
【００１９】
このように形成された外枠Ａは、遊技ホール等の設置枠台１０における各収容枠部に対し、前記角度調整固定部４０を利用して所定の後傾起立状態で固定保持されたもとで、各種遊技構成部品を装着した前記前枠Ｂを組付けセットして遊技に供される。この際に、外枠Ａに組付けた前枠Ｂを該外枠Ａの前面側へ閉成すると、図５に示すように、該前枠Ｂの下端面が前記下枠部材２３に取着固定された保護部材５１の受け面５３で受けられるようになる。これにより前枠Ｂは、適切な水平姿勢で外枠Ａに固定支持される。
【００２０】
当該パチンコ機Ｐでは、上球皿Ｅ内の遊技球を打球発射装置Ｇによって前記遊技盤Ｈ内に打込んで所要の遊技が展開されるなかで、遊技機内の賞球払出装置から払出された賞球は、前記上球皿Ｅおよび下球皿Ｆに順次貯留される。そして、前記前枠Ｂが適切な水平姿勢で固定支持されていることにより、前記上球皿Ｅに貯留された貯留球は、打球発射装置Ｇによる打球動作に連動作動する球送り装置(図示せず)側へ好適に供給される。また、前記上球皿Ｅおよび下球皿Ｆに貯留された貯留球を機外へ抜き出すに際しては、当該パチンコ機Ｐの下方に位置した前記設置枠台１０の台板部１１にパチンコ球用の受け箱１２を載置し、前記下球皿Ｆに備えられた球抜き装置を利用して貯留球を適時に抜き出す。
【００２１】
このとき、設置枠台１０の台板部１１に載置された前記受け箱１２を下枠部材２３側へ押し当てると、受け箱１２の外形縁部１３が保護部材５１の当接面域５５に接触するようになる。従って、このような状態で受け箱１２を左右に移動させると、外形縁部１３と当接面域５５とが強く摺接し、当接面域５５に線状の当接跡や摺り痕が形成され、この当接面域５５に汚れが付着するようになる。しかしながら、下枠部材２３の前板部３１の前面と受け箱１２とは直接的に接触しないので、該前板部３１に当接跡や摺り痕が形成されたり、汚れが付着することはない。
【００２２】
また、受け箱１２の外形縁部１３との接触により、保護部材５１の当接面域５５の傷や汚れが酷くなった場合には、前記ビス５８を弛み外して該保護部材５１を設置部３７から取外し、新しい保護部材５１に容易に着脱交換することができる。また保護部材５１の当接面域５５は、左右方向に細長くかつ上下方向にも適宜の幅をもって形成されているので、高さ(深さ)寸法の異なる受け箱１２であっても好適に当て受けることができる。
【００２９】
なお前記実施例では、外枠Ａにビス着形態の保護部材５１を取着する場合を例示したが、弾性変形可能な係止部を保護部材５１の裏側所要位置に形成し、この係止部を下枠部材２３の所要位置に形成した係止孔に係着するようにした係着形態の保護部材を外枠Ａに着脱可能に取着するよう構成してもよい。
【００３０】
また図示しないが、複数に分割された保護部材５１を下枠部材２３の長手方向に整列して取着するようにしてもよい。更に、受け箱１２の外形縁部１３を好適に当て受けることを前提とすれば、前記当接面域５５の表面形状を、複数個の半円形状や三角形状等で凹凸状に成形して、該外形縁部１３との接触面積を小さくすることも可能である。
【００３２】
【発明の効果】
以上説明した如く、本発明に係るパチンコ遊技機における外枠によれば、外枠を構成する下枠部分における上縁部分に、受け面および当接面域を形成した断面Ｌ形の保護部材を取着したことにより、外枠に組付けた前枠を該外枠に閉成した際には、該前枠の下端面を前記受け面で受けるようになるから、前枠を適切な水平姿勢で好適に固定支持し得ると共に、パチンコ遊技機を取付けた設置枠台の台板部に載置したパチンコ球用の受け箱を、該当接面域で好適に当て受けることができる。従って、前枠に装着された各種遊技構成部品が適切な姿勢で配設されるので、快適かつ適切な遊技を展開することが可能となると共に、外枠の下枠部分と受け箱との直接的な接触が回避されるから、該下枠部分に傷や汚れが付着することが好適に防止される。また保護部材は、下枠部分から容易に着脱交換し得るので、該保護部材自身の傷や汚れが酷くなった場合には、新しい保護部材に容易に交換することができる等の利点がある。
【図面の簡単な説明】
【図１】実施例のパチンコ機を設置枠台に取付けた状態で略示する正面図である。
【図２】  本発明の実施例の前提となる外枠全体を略示する正面図である。
【図３】  実施例の前提となる外枠における下枠部材から保護部材を分解した状態で示す平面図である。
【図４】  実施例の前提となる外枠における下枠部材を示す正面図である。
【図５】  実施例の前提となる外枠における下枠部材を示す縦断側面図である。
【図６】  実施例の前提となる外枠における下枠部材と、該下枠部材に取着される保護部材を示す要部拡大断面図である。
【符号の説明】
１０ 設置枠台
１１ 台板部
１２ 受け箱
１３ 外形縁部
２３,６０ 下枠部材(下枠部分)
３７ａ,６２ａ 上端面
３７ｂ,６２ｂ 前面
５１,７０ 保護部材
５２,７１ 水平片部
５３,７２ 受け面
５４,７３ 垂直片部
５５,７４ 当接面域
Ｐ パチンコ機(遊技機)
Ａ 外枠
Ｂ 前枠
【図１】
0004035896.tif 000002
【図２】
0004035896.tif 000003
【図３】
0004035896.tif 000004
【図４】
0004035896.tif 000005
【図５】
0004035896.tif 000006
【図６】
0004035896.tif 000007